(57)【要約】【課題】利用者の利用条件および利用制限を考慮した形で映像を画面分割する映像配信を提供する。【解決手段】端末から、端末の利用者に関する利用者情報を受信し、映像配信装置が前記端末に対して配信できる複数の映像信号に関する映像情報を受信する受信部と、利用者情報と映像情報に基づいて、映像配信装置が端末に対して配信する映像を選択する選択部と、選択部において選択した映像が２つ以上であるとき、映像配信装置が、端末に対して配信する際に、選択した２つ以上の映像信号を１画面に分割して表示するように指示する指示信号を、映像配信装置に送信する送信部を備えることを特徴とする。【選択図】図１
2008252287.tif 000002
【特許請求の範囲】
【請求項１】
映像視聴端末から、映像視聴端末の利用者に関する利用者情報を受信する第１の受信部と、
映像配信装置が前記映像視聴端末に対して配信できる複数の映像信号に関する映像情報を受信する第２の受信部と、
前記利用者情報と前記映像情報に基づいて、前記映像配信装置が前記映像視聴端末に対して配信する映像を選択する選択部と、
前記選択部において選択した映像が２つ以上であるとき、映像配信装置が前記映像視聴端末に対して配信する際に、選択した２つ以上の映像信号を１画面に分割して表示するように指示する指示信号を、前記映像配信装置に送信する送信部と
を備えることを特徴とする映像配信制御装置。
【請求項２】
前記利用者情報は、さらに前記複数の映像信号において、映像視聴端末の利用者の利用制限に関する利用制限情報を有すること
を特徴とする請求項１に記載の映像配信制御装置。
【請求項３】
前記映像情報は、さらに前記複数の映像信号において、前記利用者情報に関わらず前記映像配信装置から前記映像視聴端末に映像信号を配信することが可能であることを示す配信許可情報を有すること
を特徴とする請求項１に記載の映像配信制御装置。
【請求項４】
映像配信制御装置と、映像視聴端末と、映像配信装置とを備える映像配信システムにおいて、
前記映像配信制御装置は、
前記映像視聴端末から、前記映像視聴端末の利用者に関する利用者情報を受信する第１の受信部と、
前記映像配信装置が前記映像視聴端末に対して配信できる複数の第１の映像信号に関する映像情報を受信する第２の受信部と、
前記利用者情報と前記映像情報に基づいて、前記映像配信装置が前記映像視聴端末に対して配信する映像を選択する選択部と、
前記選択部において選択した映像が２つ以上であるとき、前記映像配信装置が前記映像視聴端末に対して配信する際に、選択した２つ以上の第１の映像信号を１画面に分割して表示するように指示する指示信号を、前記映像配信装置に送信する送信部とを備え、
前記映像配信装置は、
前記複数の第１の映像信号を送信する映像送信部と、
前記指示信号に基づいて、前記映像送信部から受信した２つ以上の映像を選択し、選択した各々の第１の映像信号を１画面に分割して表示するように制御した第２の映像信号を出力する画面分割部と、
前記第２の映像信号を符号化して、第３の映像信号を出力する映像符号化部と、
前記第３の映像信号を前記映像視聴端末に配信する映像配信部とを備えること
を特徴とする映像配信システム。
【請求項５】
映像視聴端末から、映像視聴端末の利用者に関する利用者情報を受信する第１の受信ステップと、
映像配信装置が前記映像視聴端末に対して配信できる複数の映像信号に関する映像情報を受信する第２の受信ステップと、
前記利用者情報と前記映像情報に基づいて、映像配信装置が前記映像視聴端末に対して配信する映像を選択する選択ステップと、
前記選択部において選択した映像が２つ以上であるとき、映像配信装置が前記映像視聴端末に対して配信する際に、選択した２つ以上の映像信号を１画面に分割して表示するように指示する指示信号を、前記映像配信装置に送信する送信ステップと
を備えることを特徴とする映像配信制御方法。
【請求項６】
前記利用者情報は、さらに前記複数の映像信号において、映像視聴端末の利用者の利用制限に関する利用制限情報を有すること
を特徴とする請求項５に記載の映像配信制御方法。
【請求項７】
前記映像情報は、さらに前記複数の映像信号において、前記利用者情報に関わらず映像配信装置から前記映像視聴端末に映像信号を配信することが可能であることを示す配信許可情報を有すること
を特徴とする請求項６に記載の映像配信制御方法。
【請求項８】
映像配信制御装置と、映像視聴端末と、映像配信装置とを備える映像配信システムにおける映像配信方法において、
前記映像配信制御装置は、
前記映像視聴端末から、前記映像視聴端末の利用者に関する利用者情報を受信する第１の受信ステップと、
前記映像配信装置が前記映像視聴端末に対して配信できる複数の第１の映像信号に関する映像情報を受信する第２の受信ステップと、
前記利用者情報と前記映像情報に基づいて、前記映像配信装置が前記映像視聴端末に対して配信する映像を選択する選択ステップと、
前記選択ステップにおいて選択した映像が２つ以上であるとき、前記映像配信装置が前記映像視聴端末に対して配信する際に、選択した２つ以上の第１の映像信号を１画面に分割して表示するように指示する指示信号を、前記映像配信装置に送信する送信ステップとを備え、
前記映像配信装置は、
前記複数の第１の映像信号を送信する映像送信ステップと、
前記指示信号に基づいて、前記映像送信ステップから受信した２つ以上の映像を選択し、選択した各々の第１の映像信号を１画面に分割して表示するように制御した第２の映像信号を出力する画面分割ステップと、
前記第２の映像信号を符号化して、第３の映像信号を出力する映像符号化ステップと、
前記第３の映像信号を前記映像視聴端末に配信する第２の映像配信ステップとを備えること
を特徴とする映像配信方法。
【発明の詳細な説明】
【技術分野】
【０００１】
この発明は、映像配信に関するものであり、特に複数の映像から２つ以上の映像について制御することに関するものである。
【背景技術】
【０００２】
従来の放送サービスの一例としては、ＩＰ（インターネットプロトコル）放送サービスがある。このＩＰ放送サービスでは、ケーブルテレビ、ＣＳ放送と同様に多チャンネルサービスとして展開されており、利用者はＥＰＧなど番組検索や番組表から視聴する番組を選択することになるが、その情報の表現は基本的に文字情報もしくは静止画像である（例えば、下記特許文献１：特開２００４−３３６６８８号公報を参照）。視聴できる映像の一覧が画面分割で表示されていれば、利用者にとってより映像の選択が容易となり利便性が増す。このような機能は、特に利用条件や利用制限がない場合は、視聴可能な映像を画面分割し配信することで実現可能である。
【特許文献１】特開２００４−３３６６８８号公報
【発明の開示】
【発明が解決しようとする課題】
【０００３】
しかしながら、従来の画面分割による映像配信制御では、利用者の利用条件および利用制限に適合した形で表示することができないという課題があった。また、どの利用者も同じ画面分割された映像が表示されるため、条件により視聴できない映像、年齢制限のある映像（例えば別途契約が必要な映像）が表示されることが問題となる場合があるという課題があった。
【０００４】
本発明は、このような従来の課題を解決し、利用者の利用条件および利用制限を考慮した形で映像を画面分割する映像配信制御装置、映像配信制御システム、映像配信制御方法、および映像配信方法を提供することを目的とする。
【課題を解決するための手段】
【０００５】
かかる課題を解決するため、本発明による映像配信制御装置は、映像視聴端末から、映像視聴端末の利用者に関する利用者情報を受信する第１の受信部と、、映像配信装置が映像視聴端末に対して配信できる複数の映像に関する映像情報を受信する第２の受信部と、利用者情報と映像情報に基づいて、映像配信装置が映像視聴端末に対して配信する映像を選択する選択部と、選択部において選択した映像が２つ以上であるとき、映像配信装置が映像視聴端末に対して配信する際に、選択した２つ以上の映像を１画面に分割して表示するように指示する第１の送信部とを備えることを特徴とする。
【０００６】
かかる課題を解決するため、本発明による映像配信システムは、映像配信制御装置と、映像視聴端末と、映像配信装置とを備え、映像配信制御装置は、映像視聴端末から、映像視聴端末の利用者に関する利用者情報を受信する第１の受信部と、映像配信装置が映像視聴端末に対して配信できる複数の第１の映像信号に関する映像情報を受信する第２の受信部と、利用者情報と映像情報に基づいて、映像配信装置が映像視聴端末に対して配信する映像を選択する選択部と、選択部において選択した映像が２つ以上であるとき、映像配信装置が映像視聴端末に対して配信する際に、選択した２つ以上の第１の映像信号を１画面に分割して表示するように指示する指示信号を、映像配信装置に送信する送信部とを備え、映像配信装置は、複数の第１の映像信号を送信する映像送信部と、指示信号に基づいて、映像送信部から受信した２つ以上の映像を選択し、選択した各々の第１の映像信号を１画面に分割して表示するように制御した第２の映像信号を出力する画面分割部と、第２の映像信号を符号化して、第３の映像信号を出力する映像符号化部と、第３の映像信号を映像視聴端末に送信する映像送信部とを備えることを特徴とする。
【０００７】
かかる課題を解決するため、本発明による映像配信制御方法は、映像視聴端末から、映像視聴端末の利用者に関する利用者情報を受信する第１の受信ステップと映像配信装置が映像視聴端末に対して配信できる複数の映像信号に関する映像情報を受信する第２の受信ステップと、利用者情報と映像情報に基づいて、映像配信装置が映像視聴端末に対して配信する映像を選択する選択ステップと、選択部において選択した映像が２つ以上であるとき、映像配信装置が映像視聴端末に対して配信する際に、選択した２つ以上の映像信号を１画面に分割して表示するように指示する指示信号を、映像配信装置に送信する送信ステップとを備えることを特徴とする。
【０００８】
かかる課題を解決するため、本発明による映像配信方法は、映像配信制御装置と、映像視聴端末と、映像配信装置とを備える映像配信システムにおける映像配信制御方法であり、映像配信制御装置は、映像視聴端末から、映像視聴端末の利用者に関する利用者情報を受信する第１の受信ステップと、映像配信装置が映像視聴端末に対して配信できる複数の第１の映像信号に関する映像情報を受信する第２の受信ステップと、利用者情報と映像情報に基づいて、映像配信装置が映像視聴端末に対して配信する映像を選択する選択ステップと、選択ステップにおいて選択した映像が２つ以上であるとき、映像配信装置が映像視聴端末に対して配信する際に、選択した２つ以上の第１の映像信号を１画面に分割して表示するように指示する指示信号を、映像配信装置に送信する送信ステップとを備え、映像配信装置は、複数の第１の映像信号を送信する映像送信ステップと、指示信号に基づいて、映像送信ステップから受信した２つ以上の映像を選択し、選択した各々の第１の映像信号を１画面に分割して表示するように制御した第２の映像信号を出力する画面分割ステップと、第２の映像信号を符号化して、第３の映像信号を出力する映像符号化ステップと、第３の映像信号を映像視聴端末に送信する映像送信ステップとを備えることを特徴とする。
【発明の効果】
【０００９】
本発明の映像配信制御装置、映像配信制御システム、映像配信制御方法、および映像配信方法によれば、利用者の利用条件に合った形で１画面に複数の映像が画面分割表示できるよう制御できるので、映像視聴端末の利用者は画面分割された映像を視聴し、その映像の中から視聴したい映像を選択することが可能となる。
【発明を実施するための最良の形態】
【００１０】
以下、本発明の実施例を図１〜図５を参照しつつ詳細に説明する。
【００１１】
（Ａ）第１の実施形態
（Ａ−１）第１の実施形態の構成
図１は本発明の映像配信の制御装置を含む映像配信制御システムの構成を示す図であり、図１を用いて映像配信の制御装置を含む映像配信制御システムの構成が説明される。
【００１２】
本発明の映像配信制御システム１は、映像視聴端末１１、ＩＰネットワーク１２、制御装置１３、映像配信装置１４から構成される。さらに、制御装置１３は、受信部２１、記憶部２２、選択部２３、送信部２４から構成される。また、映像配信装置１４は、映像送信部３１、画面分割映像処理部３２、映像符号化部３３、映像配信部３４から構成され、映像送信部３１は、第１の映像ソース４１、第２の映像ソース４２、第Ｎ−１の映像ソース４３、第Ｎの映像ソース４４、第１の画面映像合成部５１、第２の画面映像合成部５２、第Ｎ−１の画面映像合成部５３、第Ｎの画面映像合成部５４から構成される。
【００１３】
映像視聴端末１１は、映像視聴端末１１の利用者の利用者情報を保持する機能（図示せず）を有し、利用者情報をＩＰネットワーク１２を介して制御装置１３に送信する機能（図示せず）を有する。さらに、映像視聴端末１１は、利用者の入力により複数の映像信号を１画面に分割して表示するように要求する第１の要求信号を、ＩＰネットワーク１２を介して制御装置１３に要求する機能（図示せず）を有する。また、映像視聴端末１１は、符号化された映像信号のＩＰパケットを、映像配信装置１２からＩＰネットワーク１２を介して受信し、受信した符号化された映像ＩＰパケットを、映像符号化部３３で用いられた符号化方式（例えば、ＭＧＥＧ２、ＭＧＥＧ４、Ｈ．２６４など）に対応した方式にて復号し、テレビなどに映像を出力する機能を有する。
【００１４】
ＩＰネットワーク１２は、映像視聴端末１１から出力される利用者情報や第１の要求信号を制御装置１３に伝送する。さらに、ＩＰネットワーク１２は、後述される映像配信装置１４から映像視聴端末１１に出力される符号化された映像信号のＩＰパケットを配信する。
【００１５】
制御装置１３において、受信部２１は、映像視聴端末１１の利用者に関する利用者情報を、映像視聴端末１１からＩＰネットワーク１２を介して受信する。さらに、受信部２１は、映像視聴端末１１の利用者の入力により複数の映像信号を１画面に分割して表示するように要求する第１の要求信号を、映像視聴端末１１からＩＰネットワーク１２を介して受信する。また、受信部２１は、映像配信装置１４が有する各チャンネルに対応する映像ソース情報を、映像配信装置１４の映像送信部３１（または制御装置１３を管理する管理者が映像送信部３１に備える映像ソース情報に基づいて入力する入力装置（図示せず））から受信する。
【００１６】
記憶部２２は、受信部２１にて受信された利用者情報と、映像ソース情報を記憶する。図２に、映像視聴端末１１の利用者における利用者情報と映像ソース情報の一例を示す。
【００１７】
利用者情報と映像ソース情報は、各チャンネル番号に対応した情報を有しており、後述される選択部２３において、各チャンネル番号に対応した情報が比較されるので、図２はに、映像ソース情報と利用者情報が対となるように記載され、さらに映像ソース情報の各項目と利用者情報の各項目が対となるように記載される。
【００１８】
映像視聴端末１１の利用者１における利用者情報と映像ソース情報の一例である記憶領域１０１は、チャンネル番号の領域１０２、比較対象の情報の領域１０３、比較対象の情報における各項目の領域１０４からなる。
【００１９】
チャンネル番号の領域１０２には、ここでは、第１チャンネル１１１、第２チャンネル１１２、第Ｎ−１チャンネル１１３、第Ｎチャンネル１１４からなる。
【００２０】
比較対象の情報の領域１０３には、各チャンネルにおいて比較される映像ソース情報［１２１、１２２、１２３、１２４（図２）］と利用者情報［１２５、１２６、１２７、１２８（図２）］が記載される（ここでは、利用者１の利用者情報とする）。
【００２１】
比較対象の情報における各項目の領域１０４（図２）には、各チャンネルにおいて比較される映像ソース情報の各項目と利用者情報の各項目が記載され、比較対象の情報における各項目の領域１０４（図２）として、映像ソースの項目の領域１０５（図２）が記載される。この映像ソースの項目の領域１０５（図２）には、各チャンネルの映像ソース情報における項目［１４１、１４２、１４３、１４４（図２）］と利用者情報における項目［１４５、１４６、１４７、１４８（図２）］が記載される。
【００２２】
項目１４１（図２）には、第１チャンネルの映像ソースとして画像分割映像処理部３２に入力されるものが、第１の画面映像合成部５１から出力される第１の映像ソースであることが記載される。項目１４２（図２）には、第２チャンネルの映像ソースとして画像分割映像処理部３２に入力されるものが、第２の画面映像合成部５２から出力される第２の映像ソースであることが記載される。項目１４３（図２）には、第Ｎ−１チャンネルの映像ソースとして画像分割映像処理部３２に入力されるものが、第Ｎ−１の画面映像合成部５３から出力される第Ｎ−１の映像ソースであることが記載される。項目１４４（図２）には、第Ｎチャンネルの映像ソースとして画像分割映像処理部３２に入力されるものが、第Ｎの画面映像合成部５４から出力される第Ｎの映像ソースであることが記載される。
【００２３】
また、項目１４５（図２）には、第１チャンネルに関し、映像視聴端末１１から受信した情報が無いことが記載される。項目１４６（図２）には、第２チャンネルに関し、映像視聴端末１１から受信した情報が無いことが記載される。項目１４７（図２）には、第Ｎ−１チャンネルに関し、映像視聴端末１１から受信した情報が無いことが記載される。項目１４８（図２）には、第Ｎチャンネルに関し、映像視聴端末１１から受信した情報が無いことが記載される。
【００２４】
選択部２３は、受信部２１にて受信された第１の要求信号をトリガとして、記憶部２２に記憶される映像ソース情報と利用者情報に基づいて、映像視聴端末１１に送信される複数の映像信号を１画面に分割して表示する映像ソースを選択し、選択信号を生成する。例えば、選択部２３は、矢印［１５１、１５２、１５３、１５４（図２）］のように、各チャンネルの映像ソース情報の各項目と利用者情報の各項目に基づいて、選択信号を生成する。
【００２５】
送信部２４は、映像配信装置１４の画面分割映像処理部３２に対して、選択部２３から出力された選択信号を送信する。また、送信部２４は、受信部２１にて受信された第１の要求信号に基づいて、映像配信装置１４の映像配信部３４に対して、映像配信部３４に入力される符号化された映像信号のＩＰパケットを映像視聴端末１１に送信するよう、第２の要求信号を送信する。
【００２６】
映像配信装置１４は、制御装置１３の制御に基づいて、映像送信部３１における第１の映像ソース４１、第２の映像ソース４２、第Ｎ−１の映像ソース４３、第Ｎの映像ソース４４より選択した映像信号を、映像視聴端末１１において１画面に分割して表示できるような映像信号を出力する。映像配信装置１４の各処理部の構成は、下記に示される。
【００２７】
映像送信部３１は、第１の映像ソース４１、第２の映像ソース４２、第Ｎ−１の映像ソース４３、第Ｎの映像ソース４４を画面分割映像処理部３２に送信するものである。さらに、映像送信部３１は、映像視聴端末１１において各映像ソースにおける各チャンネル番号文字を重ねて表示できるように、第１の画面映像合成部５１、第２の画面映像合成部５２、第Ｎ−１の画面映像合成部５３、第Ｎの画面映像合成部５４を備えている。
【００２８】
第１の画面映像合成部５１は、第１の映像ソース４１から第１の映像信号を受信し、第１の映像ソース４１に関する第１チャンネルの番号文字を第１の映像信号に重ね、第１チャンネル番号の文字が重ねられた第１の映像信号を画面分割映像処理部３２に出力する。第２の画面映像合成部５２は、第１の映像ソース４２から第２の映像信号を受信し、第２の映像ソース４２に関する第２チャンネルの番号文字を第２の映像信号に重ね、第２チャンネルの番号文字が重ねられた第２の映像信号を画面分割映像処理部３２に出力する。第Ｎ−１の画面映像合成部５３は、第Ｎ−１の映像ソース４３から第Ｎ−１の映像信号を受信し、第Ｎ−１の映像ソース４３に関する第Ｎ−１チャンネルの番号文字を第Ｎ−１の映像信号に重ね、第Ｎ−１チャンネルの番号文字が重ねられた第Ｎ−１の映像信号を画面分割映像処理部３２に出力する。第Ｎの画面映像合成部５４は、第Ｎの映像ソース４４から第Ｎの映像信号を受信し、第Ｎの映像ソース４４に関する第Ｎチャンネルの番号文字を第Ｎの映像信号に重ね、第Ｎチャンネルの番号文字が重ねられた第Ｎの映像信号を画面分割映像処理部３２に出力する。
【００２９】
画面分割映像処理部３２は、制御装置１３から選択信号を受信し、選択信号に基づいて映像送信部３１より受信する映像信号から複数の映像信号を選択し、これら複数の映像を１画面に分割して表示する映像信号に処理した画面分割映像信号を映像符号化部３３に出力する。
【００３０】
映像符号化部３３は、画面分割映像処理部３２から出力された画面分割映像信号を受信し、受信した画面分割映像信号を映像視聴端末１１にて復号できるように指定された符号化方式（例えば、ＭＧＥＧ２、ＭＧＥＧ４、Ｈ．２６４など）にて符号化し、符号化された画面分割映像信号のＩＰパケットを映像配信部３４に出力する。
【００３１】
映像配信部３４は、映像符号化部３３から出力された符号化された画面分割映像信号のＩＰパケットを受信し、受信した符号化された画面分割映像信号のＩＰパケットをＩＰネットワーク１２を介して映像視聴端末１１に送信する。映像配信部３４は、制御装置１３より受信する第２の要求信号に基づいて、受信した符号化された画面分割映像信号のＩＰパケットをＩＰネットワーク１２に送信する開始するタイミングおよび停止するタイミングを制御する。
【００３２】
（Ａ−２）第１の実施形態の動作
図３は本発明の映像配信の制御装置を含む映像配信制御システムの動作フローを示す図であり、図３を用いて映像配信の制御装置を含む映像配信制御システムの動作が説明される。
【００３３】
＜処理ステップＳ１＞
映像視聴端末１１は、映像視聴端末１１の利用者情報と、複数の映像信号を１画面に分割して表示するように要求する第１の要求信号を、ＩＰネットワーク１２を介して制御装置１３に送信する。ここでは、利用者情報は、利用者１が利用していることを示す情報が含まれていることとする。この利用者情報は、制御装置１３の記憶部２２（図１）に記憶される。
【００３４】
＜処理ステップＳ２＞
制御装置１３の選択部２３（図１）は、受信した第１の要求信号をトリガとして、記憶部２２（図１）に記憶される利用者情報と映像ソース情報に基づいて、映像視聴端末１１に送信される複数の映像信号を１画面に分割して表示する映像ソースを選択し、選択信号を生成する。
【００３５】
＜処理ステップＳ３＞
＜処理ステップＳ３−１＞
【００３６】
制御装置１３は、映像配信装置１４の画面分割映像処理部３２に対して、選択部２３（図１）から出力された選択信号を送信する。ここで、利用者１に関する選択信号は、比較対象の情報における各項目である映像ソースに関し、利用者１の利用者情報において何も受信していない。よって、利用者１に関する選択信号は、映像ソース情報に基づき、第１チャンネル〜第Ｎチャンネルに関する映像信号である第１の映像ソース〜第Ｎの映像ソースが選択されたものとする。
【００３７】
＜処理ステップＳ３−２＞
制御装置１３は、受信した第１の要求信号に基づいて、映像配信装置１４に対して、映像配信部３４（図１）に入力される符号化された映像信号のＩＰパケットを映像視聴端末１１に送信するよう、第２の要求信号を送信する。なお、処理ステップＳ３−１と処理ステップＳ３−２は、同時に処理されても良い。
【００３８】
＜処理ステップＳ４＞
＜処理ステップＳ４−１＞
第１の画面映像合成部５１は、第１の映像ソース４１（図１）に関する第１チャンネルの番号文字を第１の映像信号に重ね、第１チャンネルの番号文字が重ねられた第１の映像信号を画面分割映像処理部３２に出力する。
【００３９】
＜処理ステップＳ４−２＞
第２の画面映像合成部５２は、第２の映像ソース４２（図１）に関する第２チャンネルの番号文字を第２の映像信号に重ね、第２チャンネルの番号文字が重ねられた第２の映像信号を画面分割映像処理部３２に出力する。
【００４０】
＜処理ステップＳ４−３＞
第Ｎ−１の画面映像合成部５３は、第Ｎ−１の映像ソース４３（図１）に関する第Ｎ−１チャンネルの番号文字を第Ｎ−１の映像信号に重ね、第Ｎ−１チャンネルの番号文字が重ねられた第Ｎ−１の映像信号を画面分割映像処理部３２に出力する。
【００４１】
＜処理ステップＳ４−４＞
第Ｎの画面映像合成部５４は、第Ｎの映像ソース４４（図１）に関する第Ｎチャンネルの番号文字を第Ｎの映像信号に重ね、第Ｎチャンネルの番号文字が重ねられた第Ｎの映像信号を画面分割映像処理部３２に出力する。なお、処理ステップＳ４−１〜処理ステップＳ４−４は、同時に処理される。
【００４２】
＜処理ステップＳ５＞
画面分割映像処理部３２は、制御装置１３から選択信号を受信する。画面分割映像処理部３２は、さらに、受信した選択信号に基づいて映像送信部３１より受信する映像信号から複数の映像信号を選択し、これら複数の映像を１画面に分割して表示する映像信号に処理した画面分割映像信号を映像符号化部３３に出力する。
【００４３】
＜処理ステップＳ６＞
映像符号化部３３は、画面分割映像処理部３２から出力された画面分割映像信号を受信し、受信した画面分割映像信号を映像視聴端末１１にて復号できるように指定された符号化方式にて符号化し、符号化された画面分割映像信号のＩＰパケットを映像配信部３４に出力する。
【００４４】
＜処理ステップＳ７＞
映像配信部３４は、映像符号化部３３から出力された符号化された画面分割映像信号のＩＰパケットを受信し、受信した符号化された画面分割映像信号のＩＰパケットをＩＰネットワーク１２を介して映像視聴端末１１に送信する（ここでは、第１の映像ソース〜第Ｎの映像ソースに関わる符号化された画面分割映像信号のＩＰパケットを映像視聴端末１１に送信する）。映像配信部３４は、制御装置１３より受信する第２の要求信号に基づいて、受信した符号化された画面分割映像信号のＩＰパケットをＩＰネットワーク１２に送信する開始するタイミングおよび停止するタイミングを制御する。
【００４５】
（Ａ−３）第１の実施形態の効果
本発明の第１の実施形態によれば、映像視聴端末において、利用者の利用条件に合った複数の映像が画面分割表示される。これにより映像視聴端末の利用者は、画面分割された映像を視聴し、その映像の中から視聴したい映像を選択することが可能となる。
【００４６】
（Ｂ）第２の実施形態
第２の実施形態は、第１の実施形態に加えて、映像視聴端末１１において、さらに利用者の利用者情報に利用制限情報（例えば年齢や地域など）を設定する機能（図示せず）および設定されている利用制限情報を送信する機能（図示せず）を有する。以下、第１の実施形態と異なるところのみを説明する。また、映像視聴端末１１の利用者は、利用者２として説明する。
【００４７】
（Ｂ−１）第２の実施形態の構成
第２の実施形態の構成は、図１の構成に加えて、映像視聴端末１１において、さらに利用者の利用者情報に、利用制限情報（例えば年齢や地域など）を設定する機能（図示せず）、および利用者情報に設定される利用制限情報を送信する機能（図示せず）を有する。
【００４８】
なお、利用者制限情報の一例としては、ペアレントロック（Ｐａｒｅｎｔ  Ｌｏｏｋ）がある。ペアレントロックの情報は、チャンネル毎に、利用者が暗証番号をリモコンから映像視聴端末１１に入力し、映像視聴端末１１は、予め登録された暗証番号と入力された暗証番号とをチェックし、チェックがＯＫであるならばペアレントロックを解除するロック解除の情報を生成する。
【００４９】
また、ペアレントロックの情報は、例えば、利用者ごとに利用者の利用制限情報が記憶されたＵＳＢメモリを持ち、映像視聴端末１１に備えられたＵＳＢポートに、ＵＳＢメモリを挿入する。映像視聴端末１１は、映像視聴端末１１に備えられたＵＳＢポートにＵＳＢメモリが挿入されたことを確認すると、ＵＳＢメモリに記憶される利用者の利用者制限情報を読み出す（チャンネル毎におけるペアレントロックを解除するロック解除の情報があるか否かを読み出す）。
【００５０】
また、ペアレントロックの情報は、例えば、利用者ごとに利用者の利用制限情報が記憶されたＩＣカードを持ち、映像視聴端末１１の備えられたＩＣカードの読み取りリーダに、ＩＣカードを挿入する（非接触型の場合は、読み取りリーダにＩＣカードをかざす）。映像視聴端末１１は、映像視聴端末１１に備えられた読み取りリーダにＩＣカードが挿入されたこと（非接触型の場合は、読み取りリーダにＩＣカードがかざされたこと）を確認すると、ＩＣカードに記憶される利用者の利用者制限情報を読み出す（チャンネル毎におけるペアレントロックを解除するロック解除の情報があるか否かを読み出す）。
【００５１】
また、利用制限情報が追加されることに伴い、図２の映像視聴端末１１の利用者における利用者情報と映像ソース情報において、利用制限情報に関する項目が追加される。利用制限情報に関する項目が追加された映像視聴端末１１の利用者における利用者情報と映像ソース情報の一例を、図４に示す。
【００５２】
比較対象の情報における各項目の領域１０４（図４）には、さらに、比較対象の情報における各項目の領域１０４（図４）として、利用者制限情報の一例であるペアレントロックの項目の領域１０６（図４）が記載される。このペアレントロックの項目の領域１０６（図４）には、各チャンネルの映像ソース情報における項目［１６１、１６２、１６３、１６４（図４）］と利用者情報における項目［１６５、１６６、１６７、１６８（図４）］が記載される。
【００５３】
映像ソース情報における項目：項目１６１（図４）には、第1チャンネルの映像ソースにおけるペアレントロックの有／無について記載される。ここでは、ペアレントロックは無しとする。項目１６２（図４）には、第２チャンネルの映像ソースにおけるペアレントロックの有／無について記載される。ここでは、ペアレントロックは無しとする。項目１６３（図４）には、第Ｎ−１チャンネルの映像ソースにおけるペアレントロックの有／無について記載される。ここでは、ペアレントロックは有りとする。項目１６４（図４）には、第Ｎチャンネルの映像ソースにおけるペアレントロックの有／無について記載される。ここでは、ペアレントロックは有りとする。
【００５４】
利用者情報における項目：項目１６５（図４）には、第1チャンネルの映像ソースにおけるペアレントロックのロック解除の有／無について記載される。ここでは、ペアレントロックのロック解除の情報について、映像視聴端末１１から受信した情報が無いことが記載される。項目１６６（図４）には、第２チャンネルの映像ソースにおけるペアレントロックのロック解除の有／無について記載される。ここでは、ペアレントロックのロック解除の情報について、映像視聴端末１１から受信した情報が無いことが記載される。項目１６７（図４）には、第Ｎ−１チャンネルの映像ソースにおけるペアレントロックのロック解除の有／無について記載される。ここでは、ペアレントロックのロック解除の情報について、映像視聴端末１１から、ロック解除の情報を受信したものとする。項目１６８（図４）には、第Ｎチャンネルの映像ソースにおけるペアレントロックのロック解除の有／無について記載される。ここでは、ペアレントロックのロック解除の情報ついて、映像視聴端末１１から、ロックを解除する情報を受信しなかったことが記載される。
【００５５】
また、選択部２３は、利用者制限情報が追加されることにより、さらに、利用者制限情報であるペアレントロックの項目における各チャンネルの映像ソース情報の各項目と利用者情報の各項目に基づいて（矢印［１７１、１７２、１７３、１７４（図４）］）、選択信号を生成する。
【００５６】
（Ｂ−２）第２の実施形態の動作
第２の実施形態の動作は、第１の実施形態の動作に加えて、利用制限情報に関する処理が追加される。以下、第１の実施形態と異なるところのみを説明する。
【００５７】
＜処理ステップＳ１＞
映像視聴端末１１は、さらに利用者情報に、利用者２における各チャンネルの利用者制限情報の一例であるペアレントロックの情報が含まれていることとする。
【００５８】
＜処理ステップＳ３＞
＜処理ステップＳ３−１＞
制御装置１３は、映像配信装置１４の画面分割映像処理部３２に対して、選択部２３から出力された選択信号を送信する。ここで、利用者２における選択信号は、追加された比較対象の情報における各項目であるペアレントロック情報に関して、映像ソース情報においてペアレントロックが無い第１チャンネル〜第２チャンネルと、映像ソース情報においてペアレントロックが有るが利用者情報においてロック解除の情報が有る第Ｎ−１チャンネルに関する映像信号である第１の映像ソース〜第Ｎ−１の映像ソースが選択されたものとする。
【００５９】
＜処理ステップＳ７＞
映像配信部３４は、映像符号化部３３から出力された符号化された画面分割映像信号のＩＰパケットを受信し、受信した符号化された画面分割映像信号のＩＰパケットをＩＰネットワーク１２を介して映像視聴端末１１に送信する（ここでは、第１の映像ソース〜第Ｎ−１の映像ソースに関わる符号化された画面分割映像信号のＩＰパケットを映像視聴端末１１に送信する）。
【００６０】
（Ｂ−３）第２の実施形態の効果
本発明の第２の実施形態によれば、利用条件以外に利用制限が加わることで、例えば映像視聴端末に年齢設定がある場合、画面分割映像から年齢制限に該当する映像を除外することができる。
【００６１】
（Ｃ）第３の実施形態
第３の実施形態は、第１の実施形態と第２の実施形態に加えて、制御装置１３において、映像配信装置１４にて各映像ソースに設定された配信許可情報の条件にかかわらず、該当するチャンネル番号に関する画面分割した映像信号を、映像視聴端末１１に送信するように要求する機能を有する。以下、第１の実施形態と第２の実施形態と異なるところのみを説明する。また、映像視聴端末１１の利用者は、利用者３として説明する。
【００６２】
（Ｃ−１）第３の実施形態の構成
第２の実施形態の構成は、図１の構成に加えて、さらに、制御装置１３で受信される映像信号情報において各映像ソースに設定された配信許可情報が追加される。また、制御装置１３において、映像配信装置１４にて設定された配信許可情報の条件にかかわらず、該当するチャンネル番号に関する画面分割した映像信号を映像視聴端末１１に送信するように要求する機能を有する。
【００６３】
この機能が追加されることに伴い、図３の映像視聴端末１１の利用者における利用者情報と映像ソース情報において、配信許可情報に関する項目が追加される。配信許可情報に関する項目が追加された映像視聴端末１１の利用者における利用者情報と映像ソース情報の一例を、図５に示す。
【００６４】
比較対象の情報における各項目の領域１０４（図５）には、さらに、配信許可情報の項目の領域１０６（図５）が記載される。この配信許可情報の項目の領域１０７（図５）には、各チャンネルの映像ソース情報における項目［１８１、１８２、１８３、１８４（図５）］と利用者情報における項目［１８５、１８６、１８７、１８８（図５）］が記載される。
【００６５】
項目１８１（図５）には、第1チャンネルの映像ソースにおける配信許可情報の有／無について記載される。ここでは、配信許可情報は、全ての視聴者に配信許可とする。項目１８２（図５）には、第２チャンネルの映像ソースにおける配信許可情報の有／無について記載される。ここでは、配信許可情報は、全ての視聴者に配信許可とする。項目１８３（図５）には、第Ｎ−１チャンネルの映像ソースにおける配信許可情報の有／無について記載される。ここでは、配信許可情報は、契約後に配信許可とする。項目１８４（図５）には、第Ｎチャンネルの映像ソースにおける配信許可情報の有／無について記載される。ここでは、配信許可情報は、契約後に配信許可とする。
【００６６】
項目１８５（図５）には、第1チャンネルの映像ソースにおける配信許可情報の有／無について記載される。ここでは、配信許可情報の情報は、映像視聴端末１１から受信した情報がなかったことが記載される。項目１８６（図５）には、第２チャンネルの映像ソースにおける配信許可情報の有／無について記載される。ここでは、配信許可情報の情報は、映像視聴端末１１から受信した情報がなかったことが記載される。項目１８７（図５）には、第Ｎ−１チャンネルの映像ソースにおける配信許可情報の有／無について記載される。ここでは、配信許可情報の情報は、映像視聴端末１１から受信した情報がなかったことが記載される。項目１８８（図５）には、第Ｎチャンネルの映像ソースにおける配信許可情報の有／無について記載される。ここでは、配信許可情報の情報は、映像視聴端末１１から受信した情報がなかったことが記載される。
【００６７】
また、利用者制限情報の一例であるペアレントロックの項目１６５（図５）〜項目１６８（図５）については、利用者３において視聴のために必要な契約が未締結なので、ペアレントロックのロック解除の情報は、映像視聴端末１１から受信した情報がなかったことが記載される。
【００６８】
また、選択部２３は、配信許可情報が追加されることにより、配信許可情報を優先してチェックする。選択部２３は、さらに、配信許可情報の項目における各チャンネルの映像ソース情報の各項目と利用者情報の各項目に基づいて（矢印［１９１、１９２、１９３、１９４（図５）］）、選択信号を生成する。
【００６９】
（Ｃ−２）第３の実施形態の動作
第３の実施形態の動作は、第１の実施形態の動作、第２の実施形態の動作に加えて、配信許可情報に関する処理が追加される。以下、第１の実施形態、第２の実施形態と異なるところのみを説明する。
【００７０】
＜処理ステップＳ３＞
＜処理ステップＳ３−１＞
制御装置１３は、映像配信装置１４の画面分割映像処理部３２に対して、選択部２３から出力された選択信号を送信する。ここで、利用者３における選択信号は、比較対象の情報における各項目である配信許可情報に関して、利用者３の利用者情報から何も受信していない。利用者３における選択信号は、映像ソース情報に基づき、映像ソース情報において全ての視聴者に配信許可となる第１チャンネル〜第２チャンネルに関する映像信号である第１の映像ソース〜第２の映像ソースが選択されたものとする。
【００７１】
＜処理ステップＳ７＞
映像配信部３４は、映像符号化部３３から出力された符号化された画面分割映像信号のＩＰパケットを受信し、受信した符号化された画面分割映像信号のＩＰパケットをＩＰネットワーク１２を介して映像視聴端末１１に送信する（ここでは、第１の映像ソース〜第２の映像ソースに関わる符号化された画面分割映像信号のＩＰパケットを映像視聴端末１１に送信する）。
【００７２】
（Ｃ−３）第３の実施形態の効果
本発明の第３の実施形態によれば、映像視聴端末において利用条件に含まれない映像が含まれることで、これまで視聴できない利用者にも映像を視聴する機会が与えられ、該当する映像の利用条件の変更（例えば、該当映像の視聴契約をする）する可能性が高まる。
【００７３】
（Ｄ）第１の実施形態乃至第３の実施形態における変形例
本発明は、ＩＰネットワークの帯域を占有せず複数の映像を表示できることを特徴とするもので、ＩＰ映像配信サービスにおいてチャンネル選択時のプレビュー表示に利用できる。
【図面の簡単な説明】
【００７４】
【図１】本発明の映像配信の制御装置を含む映像配信制御システムの構成を示す図である。
【図２】本発明の映像配信の制御装置を含む映像配信制御システムの動作フローを示す図である。
【図３】本発明の第１の実施形態における映像視聴端末１１の利用者における利用者情報と映像ソース情報の一例の図である。
【図４】本発明の第２の実施形態における映像視聴端末１１の利用者における利用者情報と映像ソース情報の一例の図である。
【図５】本発明の第３の実施形態における映像視聴端末１１の利用者における利用者情報と映像ソース情報の一例の図である。
【符号の説明】
【００７５】
１・・・映像配信制御システム、１１・・・映像視聴端末、１２・・・ＩＰネットワーク、１３・・・制御装置、１４・・・映像配信装置、２１・・・受信部、２２・・・記憶部、２３・・・選択部、２４・・・送信部、３１・・・映像送信部、３２・・・画面分割映像処理部、３３・・・映像符号化部、３４・・・映像配信部、４１・・・第１の映像ソース、４２・・・第２の映像ソース、４３・・・第Ｎ−１の映像ソース、４４・・・第Ｎの映像ソース、５１・・・第１の画面映像合成部、５２・・・第２の画面映像合成部、５３・・・、第Ｎ−１の画面映像合成部、５４・・・第Ｎの画面映像合成部。
【図１】
2008252287.tif 000003
【図２】
2008252287.tif 000004
【図３】
2008252287.tif 000005
【図４】
2008252287.tif 000006
【図５】
2008252287.tif 000007